(57)【要約】本発明は、直交周波数分割多重接続システムの移動局及びその局における送信電力制御方法に関する。前記移動局は、変調器、可変利得増幅器、利得調節器、及び電力制御部を含む。変調器は、送信データを割当てられた副チャンネル数に従って変調し、可変利得増幅器は送信データを増幅する。利得調節器は、副チャンネル数に対応する副チャンネル利得値に従って、可変利得増幅器に入力された送信データの利得を調節する。電力制御部は、基地局から受信した信号に基づいて、副チャンネル利得値を除く送信データの電力を制御するため、電力制御利得を算出し、この電力制御利得を可変利得増幅器に出力する。
2008524909.tif 000002
【特許請求の範囲】
【請求項１】
通信環境に従って副チャンネル数が変化する直交周波数分割多重接続（ＯＦＤＭＡ）システムの移動局であって、
送信データを、割当てられた副チャンネル数に従って変調し、その送信データを出力する変調器；
前記変調器から出力される送信データを増幅して、アンテナを通じて基地局に送信する可変利得増幅器；
前記副チャンネル数に対応する副チャンネル利得値（副チャンネル利得値は、前記変調器から前記可変利得増幅器に入力される出力値が一定になるように前記副チャンネル数に応じてあらかじめ決定されている）に従って前記変調器から前記可変利得増幅器に入力される送信データの利得を調節する利得調節器；及び
基地局から前記アンテナを通じて受信された信号に基づいて前記副チャンネル利得値を除外した送信データの電力を制御するための電力制御利得を生成し、前記可変利得増幅器に前記電力制御利得を出力する電力制御部；
を含む直交周波数分割多重接続システムの移動局。
【請求項２】
前記利得調節器は、
前記送信データに割当てられた副チャンネル数を感知する副チャンネル数感知部；及び
前記副チャンネル数感知部で感知された副チャンネル数に対応する副チャンネル利得値を保存する利得値保存部；
を含む請求項１に記載の直交周波数分割多重接続システムの移動局。
【請求項３】
前記利得調節器から出力されたデータをアナログ信号に変換して前記可変利得増幅器に出力するＤ／Ａ変換器をさらに含む請求項１に記載の直交周波数分割多重接続システムの移動局。
【請求項４】
前記電力制御部は、
前記アンテナで受信信号強度に基づいて前記基地局に送信される信号の開放ループ電力を制御するための開放ループ電力制御値を生成して出力する開放ループ電力制御部；
開放ループ電力制御値を予め設定された閉ループ電力制御値に加算し、得られた第２の値から前記副チャンネル利得値を差し引いて第１の値を計算して、最終的な電力制御値として前記第１の値を出力する合算器；及び
前記合算器から出力される電力制御値に対応するパルス密度を有する信号を変調し、変調された信号を前記可変利得増幅器に出力するパルス密度変調器；
を含む請求項１乃至３のいずれか１項に記載の直交周波数分割多重接続システムの移動局。
【請求項５】
前記開放ループ電力制御部は、
前記アンテナを通じて受信された信号を増幅して出力する受信増幅器；
前記受信増幅器から出力された受信信号強度に基づいて開放ループ電力制御のために補償された制御値を自動的に制御して出力する自動利得制御器；及び
前記自動利得制御器から出力された制御値のループフィルタリング操作を行って、前記合算器に制御値を出力するループフィルター；
を含む請求項４に記載の直交周波数分割多重接続システムの移動局。
【請求項６】
前記閉ループ電力制御値は、前記移動局から送信された信号を受信する前記基地局から送信された受信信号の強度情報に基づいて、前記移動局に送信された信号の出力が一定になるように制御するための値として生成される請求項４に記載の直交周波数分割多重接続システムの移動局。
【請求項７】
前記可変利得増幅器に入力された電力制御利得値には、前記移動局の受信信号の強度が最小である時に、最大送信出力を使用することができるようにする値が含まれる請求項１に記載の直交周波数分割多重接続システムの移動局。
【請求項８】
通信環境に従って副チャンネル数が変化する直交周波数分割多重接続（ＯＦＤＭＡ）システムの移動局における送信電力制御方法であって、
ａ）割当てられた副チャンネル数に従って送信データを変調し、出力する段階；
ｂ）前記副チャンネル数に対応する副チャンネル利得値（副チャンネル利得値は、可変利得増幅器に入力される出力値が一定になるように、前記副チャンネル数に応じて予め決定されている）に従って前記変調された送信データの利得を調節する段階；及び
ｃ）前記ｂ）段階で前記送信データの電力を制御するために生成された電力制御利得値に応じて前記利得調節された送信データを増幅して、前記基地局に前記送信データを出力する段階；
を含み、
ここで、前記ｂ）段階で前記送信データの前記利得を調節するために使用された前記副チャンネル利得値が、前記ｃ）段階で使用された前記電力制御利得値から除外されている直交周波数分割多重化接続システムの移動局における送信電力制御方法。
【請求項９】
前記ｃ）段階での前記電力制御値は、
前記移動局から送信された信号を受信した前記基地局から送信された受信信号の強度情報に基づいて生成された閉ループ電力制御値に移動局と前記基地局との距離に基づいて前記送信電力を制御するための開放ループ電力制御値を合算して得た値から前記副チャンネル利得値を差し引いて設定される請求項８に記載の直交周波数分割多重化接続システムの移動局における送信電力制御方法。
【発明の詳細な説明】
【技術分野】
【０００１】
本発明は、直交周波数分割多重接続（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ Ａｃｃｅｓｓ：以下、「ＯＦＤＭＡ」とする）システムに関し、特に、副チャンネル数に関係なく送信信号の信号対雑音比（Ｓｉｇｎａｌ ｔｏ Ｎｏｉｓｅ Ｒａｔｉｏｎ： 以下、「ＳＮＲ」とする）を維持するための移動局装置及びその装置における送信電力制御方法に係る。
【背景技術】
【０００２】
次世代移動通信用高速マルチメディアサービスを求める使用者達を満足させるための候補技術として、ＯＦＤＭ技術を根幹とする多様な多重接続技術が研究されてきた。これらの技術のうち、ＯＦＤＭＡ技術は、ＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）技術を土台にして、直交副搬送波（ｏｒｔｈｏｇｏｎａｌｓｕｂ−ｃａｒｒｉｅｒｓ）全体のうち一部の部分集合から 各使用者別のデータを構成して、多重接続を実現する方式である。このＯＦＤＭＡでは、副搬送波群の各部分集合が各移動局に割当てられ、割当てられた単位（例えば、部分集合）を副チャンネルという。
【０００３】
一方、移動通信システムの上向リンクでは、移動局間の相互干渉を最少化することによって、移動通信システムの容量を増加させ、通信品質を向上させるために、移動局の送信信号が基地局に一定強度で受信されるように移動局の送信電力を制御する。
【０００４】
従来のＣＤＭＡ移動通信システムやＩＥＥＥ８０２．１１系列の直交周波数分割多重（ＯＦＤＭ）方式では、受信信号強度（ＲＳＳ：ｒｅｃｅｉｖｅｄ ｓｉｇｎａｌ ｓｔｒｅｎｇｔｈ）が基地局及び移動局の間の距離に反比例するので、基地局から遠く離れた移動局は送信電力を大きくし、基地局の近くにある移動局は送信電力を小さくして、移動局の送信信号が基地局において一定強度で受信されるようにしている。
【０００５】
また、従来のＯＦＤＭＡシステムでは、送信電力を制御する技術として、特許文献１（大韓民国公開特許公報第２００２−００８１１５４号にＯＦＤＭＡ移動通信システムにおける順方向通信チャンネルの電力制御方法）が開示されており、この技術では、基地局と移動局の間の距離または基地局と移動局の様々な位置の変化に応じて順方向通信チャンネルの電力を適応的に制御して、通信チャンネルの信頼度を極大化することができることを特徴としている。
【０００６】
更に、ＯＦＤＭＡシステムでは、通信環境によって副チャンネル数が変化するので、副チャンネル数によって変調器の出力信号の振幅が変化する。したがって、同一な場所でも副チャンネル数の変化によって移動局の送信電力が異なる場合がある。
【０００７】
したがって、ＯＦＤＭＡシステムにおける上向リンク伝送のための移動局の送信電力は、基地局と移動局の間の距離、副チャンネル数及び変調レベルを総合的に考慮して制御するように要求される。また、副チャンネル数の変化に関係なく、送信信号の信号対雑音比を一定に維持して、複数の移動局から送信された信号が基地局に一定強度で受信されるように制御されなければならない。
【０００８】
しかし、従来のＣＤＭＡ移動通信システムやＩＥＥＥ８０２．１１直交周波数分割多重（ＯＦＤＭ）方式では、通信環境によって副チャンネル数が変化することはないため、変調器の出力信号の振幅は一定であった。したがって、上向リンク電力の制御時に副チャンネル数の変化による信号対雑音比や送信出力は減少しなかったので、ＯＦＤＭＡシステムで使用する副チャンネル数によって送信電力を制御することは考慮されなかった。
【０００９】
また、ＯＦＤＭＡシステムであっても、従来は、前記のように基地局と移動局の間の距離に応じた受信信号強度を考慮して上向リンクの送信電力制御を行ってきたので、電力制御アルゴリズムが相対的に簡単であった。しかし、システムで使用される副チャンネル数の変化により信号対雑音比や送信出力が減少するので、送信出力端での動作領域を拡張して減少を実施できるように要求される。
【００１０】
この背景セクションで開示された前記情報は、単に発明の背景の理解を深めるためのものであって、それ故、この国の当業者に既に知られている従来技術を形成するものではない情報が含まれることがある。
【特許文献１】大韓民国公開特許公報第２００２−００８１１５４号“ＯＦＤＭＡ移動通信システムにおける順方向通信チャンネルの電力制御方法”
【発明の開示】
【発明が解決しようとする課題】
【００１１】
本発明は、ＯＦＤＭＡシステムの移動局を提供する努力の中で形成されたもので、副チャンネル数に従って変調器出力信号の利得値を調節することによって、信号対雑音比の減少を防止する効果がある。
【課題を解決するための手段】
【００１２】
ＯＦＤＭＡシステムにおいて一つの模範となる移動局は、本発明の一実施例による個数可変の副チャンネル群を有し、変調器、可変利得増幅器、利得調節器、電力制御部を含む。この変調器は、割当てられた副チャンネル数によって送信データを変調し、出力する。前記可変利得増幅器は、前記変調器から出力された送信データを増幅し、増幅された送信データをアンテナを通じて基地局に送信する。前記利得調節器は、前記副チャンネル数に対応する副チャンネル利得値に従って、前記可変利得増幅器に入力された送信データの利得を調節する。前記電力制御部は、前記アンテナを通じて基地局から受信された信号に基づいて前記副チャンネル利得値を除く送信データの電力を制御するための電力制御利得を生成する。
【００１３】
ＯＦＤＭＡシステムの移動局における送信電力制御の模範的方法は、本発明の他の実施例のように通信環境に従って副チャンネル数が変化する。
ａ）送信データは変調されて割当てられた副チャンネル数に従って出力され；
ｂ）前記変調された送信データの利得は、前記副チャンネル数に対応する副チャンネル利得値に従って調節され；及び
ｃ）利得調節された送信データは、前記ｂ）で送信データの電力を制御するために生成された電力制御利得値に基づいて増幅され、基地局に出力される。
【００１４】
また、前記ｃ）における電力制御値は、移動局と前記基地局との距離に基づいて送信電力を制御するための開放ループ電力制御値を、前記移動局から送信された信号を受信した前記基地局から送信された信号の強度情報に基づいて生成される閉ループ電力制御値に合算して得られた値から前記副チャンネル利得値を差し引いて設定される。
【発明の効果】
【００１５】
本発明の模範的実施例によれば、副チャンネル数の変化に従って変調器の出力利得値を調節することによって、Ｄ／Ａ変換器の出力値を一定にして、送信信号の信号対雑音比が一定に維持されている間、上向リンクの電力制御を行うことができる。
【発明を実施するための最良の形態】
【００１６】
これより、本発明の一実施例を添付図面に基づいて詳細に説明する。
以下、詳細説明において、本発明の模範的実施例のみを単純に描写して示し、説明する。当業者であれば分かるように、説明される実施例は多様に相異するが、本発明の精神あるいは視野から外れるものではない。従って、図面や説明は本質的に描写的であって、限定的ではない。類似の参照番号は発明仕様書の全体を通して類似の要素を差し示す。
【００１７】
以下、図面を参照して、本発明の模範的実施例によるＯＦＤＭＡシステムの移動局について説明する。
【００１８】
図１はＣＤＭＡ移動通信システムにおける上向リンクの電力制御を行うための移動局のブロック図を示す。
【００１９】
図１に示したように、ＣＤＭＡ移動通信システムの移動局では、変調器１１０が基地局に送るデータを変調した後、Ｄ／Ａ変換器１２０が変調されたデータをアナログ信号に変換し、可変利得増幅器１３０が変換されたアナログ信号の利得を増幅し、アンテナ１４０が信号を基地局に送信する。
【００２０】
移動局は、アンテナ１４０で基地局から受信した受信信号強度（ＲＳＳ）に対して、開放ループ電力制御（Ｏｐｅｎ−ｌｏｏｐ Ｐｏｗｅｒ Ｃｏｎｔｒｏｌ）及び閉ループ電力制御（Ｃｌｏｓｅｄ−ｌｏｏｐ Ｐｏｗｅｒ Ｃｏｎｔｒｏｌ）を実行して得られた電力制御値に基づいて、可変利得増幅器１３０で増幅した信号の利得を制御することによって、基地局に送信された送信電力を制御することができる。開放ループ電力制御値は、アンテナ１４０を通して受信される信号を、開放ループ電力制御部１５０で、制御して得られ、そして送信電力は、基地局との距離が近い移動局では小さくなるように、また基地局から遠い移動局では大きくなるように生成される。更に、閉ループ電力制御値は、移動局から送信された信号を受信している基地局から受信信号強度の情報が周期的に送信されるので、移動局が受信信号強度の情報を受信した後、基地局に送信される信号の出力が一定になるように制御するために生成される。
【００２１】
開放ループ電力制御値及び閉ループ電力制御値は、合算器１６０で互いに足し合わされた後、パルス密度変調器（Ｐｕｌｓｅ Ｄｅｎｓｉｔｙ Ｍｏｄｕｌａｔｏｒ）１７０によって合算値に対応するパルス密度を有する信号に変調されて、可変利得増幅器１３０の増幅利得を制御する信号として入力される。
【００２２】
前記のように、移動局は、基地局に送信される電力が一定になるように下記数式１のように送信電力を制御する。
【００２３】
【数１】
2008524909.tif 000003
【００２４】
ここで、Ｐｏｗｅｒ＿ｏｆｆｓｅｔは、移動局の受信信号強度が最小である時に最大の送信出力を使用することができるようにする定数であって、−Ｍｉｎ＿ｓｅｎｓｉｔｉｖｉｔｙ−Ｍａｘ＿Ｔｘ＿ｐｏｗｅｒである。
【００２５】
数式１で、Ｍｅａｎ＿Ｒｘ＿Ｐｏｗｅｒの前の符号（−）は、受信電力が弱ければ送信電力を増加させ、受信電力が強ければ送信電力を減少させる開放ループ電力制御値の機能を意味する。そして、移動通信チャンネルの上向リンクと下向リンクのチャンネル特性の差によって発生する誤差を閉ループ電力制御値（Ｃｌｏｓｅｄ Ｌｏｏｐ Ｐｏｗｅｒ Ｃｏｎｔｒｏｌ Ｃｏｒｒｅｃｔｉｏｎ）が補償する。
【００２６】
このように、ＣＤＭＡ移動通信システムやＩＥＥＥ８０２．１１直交周波数分割多重（ＯＦＤＭ）方式では、副チャンネル数の変化による信号対雑音比や送信出力が減少しないため、数式１のように基地局と移動局の間の距離に応じた受信信号強度だけを考慮して電力制御を行う。従って、電力制御アルゴリズムが簡単化される。
【００２７】
しかし、ＯＦＤＭＡシステムでは、通信環境によって副チャンネル数が変化するため、使用する副チャンネル数に従って変調器の出力信号の振幅が変化する。したがって、同じ場所でも、使用する副チャンネル数の変化によって送信電力が異なる場合があるので、 数式１のような電力制御を使用する場合には、多様な問題が発生する。
【００２８】
このような問題を解決するため、前記送信電力が数式２のように制御されるので、ＯＦＤＭＡシステムにおいては、副チャンネル数の変化に関係なく前記送信電力が一定になるように、送信電力を制御する。
【００２９】
【数２】
2008524909.tif 000004
【００３０】
ここで、Ｐｏｗｅｒ＿ｏｆｆｓｅｔは、移動局の受信信号の強度が最小である時に最大の送信出力を使用することができるようにする定数であって、−Ｍｉｎ＿ｓｅｎｓｉｔｉｖｉｔｙ−Ｍａｘ＿Ｔｘ＿ｐｏｗｅｒであり、Ｎｏ＿ＳＣＨ＿Ｃｏｒｒｅｃｔｉｏｎは、副チャンネル数の変化による送信出力の増加分を示す。
【００３１】
このように、副チャンネル数の変化による上向リンクの電力制御のために、数式２を使用して得た利得値で可変利得増幅器１３０が送信信号の出力を制御して送信すれば、数式的には何の問題もなくＯＦＤＭＡシステムの上向リンクの電力制御を行うことができる。
【００３２】
しかし、使用する副チャンネル数が減少すれば、変調器の出力信号の振幅が減少するので、変調器１１０の出力をＤ／Ａ変換器１２０を使用してアナログ信号に変換する過程で信号対雑音比が減少し、また、可変利得増幅器１３０の動作領域が基地局及び移動局の距離による補償値及び副チャンネル数の変化による補償値を合算した値を受容することができるように大きくならなければならない問題がある。
【００３３】
したがって、このような問題を克服するために、本発明の実施例によるＯＦＤＭＡシステムの移動局では、副チャンネル数の変化によって変調器の出力信号の利得値を直接調節すると同時に、このように調節された利得値を可変利得増幅器に適用する利得値から除外して、送信電力の制御を行う。
【００３４】
図２は本発明の実施例によるＯＦＤＭＡシステムの移動局のブロック図である。
図２に示したように、本発明の実施例によるＯＦＤＭＡシステムにおいて、移動局は、変調器２１０、利得調節器２２０、Ｄ／Ａ変換器２３０、可変利得増幅器２４０、アンテナ２５０、副チャンネル数感知部２６０、利得値保存部２７０、開放ループ電力制御部２８０、合算器２９０、及びパルス密度変調器３００を含む。
【００３５】
変調器２１０は、基地局に送信されるデータに割当てられた副チャンネル数によって送信データを変調処理して出力する。
【００３６】
利得調節器２２０は、変調器２１０から出力される信号の振幅が一定になるように、その利得値を調節する。この時、利得値の調節は、利得値保存部２７０から出力される利得値によって行われる。したがって、利得調節器２２０から出力される信号は、信号に割当てられた副チャンネル数とは関係なく振幅が一定になる。
【００３７】
Ｄ／Ａ変換器２３０は、利得調節器から信号をアナログ信号に変換する。この時、利得調節器２２０からの信号の振幅が一定に維持されるので、Ｄ／Ａ変換器２３０からの信号の振幅及び信号対雑音比が一定に維持される。
【００３８】
可変利得増幅器２４０は、Ｄ／Ａ変換器２３０からの前記信号を増幅し、アンテナ２５０を通じて基地局に前記信号を送る。この時、可変利得増幅器２４０は、信号増幅の利得値を調節することができ、前記利得値は、パルス密度変調器３００から出力される。
【００３９】
副チャンネル数感知部２６０は、送信データに割当てられた副チャンネル数を感知する。
【００４０】
利得値保存部２７０は、副チャンネル数に対応する利得値を取り込み、副チャンネル数感知部２６０から出力された副チャンネル数に対応する利得値を見出して、利得調節器２２０に前記利得値を出力する。利得値保存部２７０に取り込まれた前記利得値は、 副チャンネル数に従って異なって設定され、それにより、副チャンネル数に関係なく、前記変調器からＤ／Ａ変換器２３０への前記信号振幅が一定に維持できる。
【００４１】
開放ループ電力制御部２８０は、基地局から送信されてアンテナ２５０を通じて受信される信号の振幅に基づいて、基地局に送信される信号の開放ループ電力を制御するための制御値を生成して出力する。
【００４２】
合算器２９０は、開放ループ電力制御部２８０から出力される開放ループ電力制御値及び異なるモジュールによって算出された閉ループ電力制御値を合算した後、その値から、利得値保存部２７０から出力される利得値を引いた値を出力する。つまり、利得値保存部２７０で決定された利得値がすでに送信される信号に適用されたので、可変利得増幅器２４０で適用される利得値からは、その利得値が除外されなければならない。
【００４３】
パルス密度変調器３００は、合算器２９０から出力される利得値に対応するパルス密度を有する信号に変調処理した後、可変利得増幅器２４０に出力する。したがって、可変利得増幅器２４０では、副チャンネル数に応じて決定された利得値を除外した開放ループ電力制御値及び閉ループ電力制御値によって、Ｄ／Ａ変換器２３０から出力される信号を増幅して基地局に送信する。
【００４４】
図３は図２に示した開放ループ電力制御部２８０の詳細ブロック図である。
図３に示したように、開放ループ電力制御部２８０は、受信増幅器２８１、自動利得制御器２８３、及びループフィルター２８５を含む。
【００４５】
受信増幅器２８１は、アンテナ２５０を通じて受信される信号を増幅して出力する。
【００４６】
自動利得制御器２８３は、受信増幅器２８１から出力される受信信号の振幅に基づいて開放ループ電力制御のために補償される利得値を自動的に制御して出力する。
【００４７】
ループフィルター２８５は、自動利得制御器２８３から出力される利得値のループフィルタリングを行って合算器２９０に出力する。
【００４８】
以下、本発明の実施例によるＯＦＤＭＡシステムの移動局における送信電力制御動作について説明する。
【００４９】
まず、本発明の実施例によるＯＦＤＭＡシステムの移動局が基地局に送信しようとする送信データは、予め搬送波を割当てる副チャンネル数が決定されている。例えば、通信環境が良ければ多数の副チャンネルが使用されるが、通信環境が悪化すると、副チャンネル数を減少させて、少数の副チャンネルが使用されるように決定されている。
【００５０】
このように、副チャンネル数が決定されている送信データは、所定の変調方式によって変調器２１０で変調され、送信される。変調器２１０で変調されるデータは、送信データに割当てられた副チャンネル数によって変化する。例えば、副チャンネル数が減少すれば変調器２１０から出力されるデータの振幅も減少する。
【００５１】
このように、変調器２１０から出力される信号の振幅が副チャンネル数によって変化するので、これを一定に維持するために、副チャンネル数による利得調節が行われなければならない。このために、副チャンネル数感知部２６０は、送信データを受信して、これに割当てられた副チャンネル数を感知し、利得値保存部２７０は、副チャンネル数感知部２６０によって感知された副チャンネル数に対応する利得値を検索して利得調節器２２０に出力する。このような利得値は、副チャンネル数によって変調器２１０から出力される信号の振幅が変化するのを補償するための値として予め設定されたものである。
【００５２】
したがって、利得調節器２２０は、利得値保存部２７０から出力される利得値によって変調器２１０から出力されるデータの利得を調節してＤ／Ａ変換器２３０に出力する。したがって、変調器から出力されて、利得調節器２２０を通じてＤ／Ａ変換器に入力されるデータの振幅は、一定に維持される。
【００５３】
次に、利得調節器２２０で利得が調節されて出力されるデータは、Ｄ／Ａ変換器２３０でアナログ信号に変換された後、可変利得増幅器２４０に入力される。この時、Ｄ／Ａ変換器２３０に入力される信号の振幅が一定に維持されるので、Ｄ／Ａ変換器２３０でアナログ信号に変換されて出力される信号の信号対雑音比も一定に維持されて可変利得増幅器２４０に入力される。
【００５４】
このように、利得調節器２２０が副チャンネル数の変化による利得値で変調器２１０から出力される信号の利得値を調節して出力することによって、送信データに割当てられた副チャンネル数が減少する場合にも、送信信号の信号対雑音比の減少現象が発生しなくなる。
【００５５】
一方、可変利得増幅器２４０で受信信号の増幅利得を制御して送信信号の電力を制御するために可変利得増幅器２４０に入力された利得値を算出する過程は、下記の通りである。
【００５６】
アンテナ２５０を通じて受信される信号は、受信増幅器２８１によって増幅されて、自動利得制御器２８３によって受信信号強度に基づいて基地局に送信されるデータの開放ループ電力制御のための利得値を自動的に制御するための信号が算出されて出力された後、ループフィルター２８５によってループフィルタリング処理されて合算器２９０に出力される。
【００５７】
このような過程で、開放ループ電力制御値が算出されて合算器２９０に入力されると同時に、基地局から送信される受信信号強度情報に基づいて閉ループ電力制御値が予め算出されて合算器２９０に入力されて、開放ループ電力制御値に合算される。この時、副チャンネル数の変化に従って変調器の出力信号の利得値を制御するための副チャンネル利得値がすでに利得調節器２２０によって送信データに適用されたので、合算器２９０では、利得調節器２２０から出力される副チャンネル利得値を開放ループ電力制御値及び閉ループ電力制御値の合算値から引いて、最終的な電力制御利得値として算出して出力する。
【００５８】
このように合算器２９０で算出されて出力される電力制御利得値は、パルス密度変調器３００で対応するパルス密度に変調処理されて、可変利得増幅器２４０の増幅利得を制御する利得値として入力される。
【００５９】
次に、可変利得増幅器２４０は、Ｄ／Ａ変換器２３０から出力されるアナログ信号を増幅してアンテナ２５０に出力し、パルス密度変調器３００から出力される電力制御利得値によって入力信号を増幅して出力する。したがって、可変利得増幅器２４０では、すでに利得調節器２２０によって適用された副チャンネル数の変化による副チャンネル利得値を除外した利得値だけで信号を増幅して出力する。
【００６０】
このように、副チャンネル数の変化による利得値が変調器２１０の出力信号に予め反映されるので、可変利得増幅器２４０では、基地局及び移動局の間の距離による利得値だけを受容すればよいので、可変利得増幅器２４０の動作領域の増加なく、上向リンクの電力制御を行うことができる。
【００６１】
以上で、本発明の好ましい実施例について詳細に説明したが、本発明はこれに限定されず、この他の多様な変更や変形が可能である。
【図面の簡単な説明】
【００６２】
【図１】ＣＤＭＡ移動通信システムにおける上向リンクの電力制御を行うための移動局のブロック図を示す。
【図２】本発明の模範的な実施例によるＯＦＤＭＡシステムの移動局のブロック図を示す。
【図３】図２に示された開放ループ電力制御部の詳細ブロック図を示す。
【符号の説明】
【００６３】
１１０、２１０  変調器
１２０、２３０  Ｄ／Ａ変換器
１３０、２４０  可変利得増幅器
１４０、２５０  アンテナ
１５０、２８０  開放ループ電力制御部
１６０、２９０  合算器
１７０、３００  パルス密度変調器
２２０  利得調節器
２６０  副チャンネル数感知部
２７０  利得値保存部
２８１  受信増幅器
２８３  自動利得制御部
２８５  ループフィルター
【図１】
2008524909.tif 000005
【図２】
2008524909.tif 000006
【図３】
2008524909.tif 000007
【国際調査報告】
2008524909.tif 000008
2008524909.tif 000009
2008524909.tif 000010